(57)【要約】【課題】装身具を装着する被着体の厚さに関わらず、装身具本体が常に被着体に密着して装着され、傾いて美観を損ねることなく、安定した使用感が得られるようにする。【解決手段】  装身具本体１の裏面に突設されたピン２を、被着体４を通過した裏側で挿入させて抜け止め保持する装身具用止め金具３が、挿入されたピン２の先端部を外部に突出させずに金具筐体３０内に収納する。その金具筐体３０にピン２の挿入量を調整する挿入量調整機構として、背面部材３１を円筒状ネジ部材３２に固着し、それを金具筐体３０の螺合部３３に螺合させる。その背面部材３１を螺合方向に回転させることにより、そのピン挿入方向の位置を調整可であり、装身具を装着する被着体の厚さに応じて装身具本体１と止め金具３との間隔を調整し、装身具本体１が被着体４に常に密着して装着されるようにする。【選択図】    図４
2020025762.tif 000002
【特許請求の範囲】
【請求項１】
装身具本体の裏面に突設されたピンを、被着体を通過した裏側で挿入させて抜け止め保持する装身具用止め金具であって、
前記ピンを挿入可能で、挿入されたピンの先端部を外部に突出させずに収納する金具筐体と、前記挿入されたピンを挟持及び解放する機構とを備え、
前記金具筐体に、前記ピンの挿入量を調整する挿入量調整機構を設けたことを特徴とする装身具用止め金具。
【請求項２】
前記挿入量調整機構は、前記金具筐体の前記ピンの先端と対向する背面部材を円筒状ネジ部材に固着し、該円筒状ネジ部材を前記金具筐体の螺合部に螺合させ、前記背面部材を螺合方向に回転させることにより、該背面部材の前記ピンの挿入方向の位置を調整可能であることを特徴とする請求項１に記載の装身具用止め金具。
【請求項３】
前記挿入量調整機構は、前記金具筐体の前記装身具本体の裏面と対向する側の面の少なくとも中央部を所定の間隔を置いて覆い、前記ピンを挿通させる孔を有するスペーサを、前記ピンを挿通させる使用位置と該使用位置から退避した退避位置とに移動可能に設けたことを特徴とする請求項１に記載の装身具用止め金具。
【請求項４】
前記挿入されたピンを挟持及び解放する機構は、
前記ピンが挿通可能で、該ピンの挿通方向と直交する径方向に延びる可動部材と、
該可動部材の前記径方向の両端に固設され、前記金具筐体から突出する一対のつまみ部と、
前記可動部材の中央部に固設され、前記ピンが挿通される中心孔を有し、該中心孔の周囲に前記ピンを挟持する複数のボールを前記径方向に移動可能に保持する円筒部材と、を備え、
前記可動部材及び前記複数のボールを保持する円筒部材が、前記金具筐体内に前記ピンの挿入方向に沿って相対移動可能に収納され、
前記金具筐体のピン挿入口の内側に、該ピン挿入口の中心線を軸線として前記ピンの挿入方向に沿って内径が次第に大きくなる円錐状の内壁面を、前記複数のボールと接触するように形成しており、
前記金具筐体と前記可動部材との間に、前記複数のボールを前記円錐状の内壁面の内径が小さい部分に接触させる方向に付勢するスプリングを介装したことを特徴とする請求項１から３のいずれか一項に記載の装身具用止め金具。
【請求項５】
前記装身具本体及びその裏面に突設されたピンと、請求項１から４のいずれか一項に記載の装身具用止め金具とからなることを特徴とする装身具。
【発明の詳細な説明】
【技術分野】
【０００１】
この発明は、装身具本体の裏面に突設されたピンが、衣服（ネクタイや帽子、スカーフ等を含む）等の被着体に刺し通されたときに、その被着体の裏側で、そのピンを挿入させて抜け止め保持する装身具用止め金具に関する。また、その装身具本体及びピンと装身具用止め金具とからなる装身具にも関する。
【背景技術】
【０００２】
衣服等の被着体に付けるブローチなどの装身具には、装飾を施した貴金属、真珠や珊瑚あるいは宝石などの宝玉等からなる装身具本体の裏面にピン（「スティックピン」とも称す)を突設しているものがある。その装身具を衣服等に装着する際には、そのピンを被着体(布等)に刺し通して、被着体の裏側で装身具用止め金具（「キャッチ」とも称す）に嵌入させて抜け止め保持し、ピンの先端部を装身具止め金具で覆った安全な状態で装着する。
【０００３】
このような装身具用止め金具は、一般に上記ピンが挿入される筐体内に設けた複数のボールが円錐面に押圧されることによって、挿入されたピンの先端部を抜け止め保持するようになっている。そして、筐体の背面に突出した摘み部を引張ったり、筐体の側方に突出する突片を押し込むことによって、ピンが抜き取り可能になる。
また、例えば特許文献１に記載されているように、止め金具自体を押さえてピンを引き抜くだけで抜ける構造や、特許文献２に記載されているように、筒状の受け金具をピンから引き離すように引くことによって、ピンの引き抜きを可能にする構造のものもある。
【先行技術文献】
【特許文献】
【０００４】
【特許文献１】実開平６−１３５１７号公報
【特許文献２】特開平１１−１１３６１３号公報
【発明の概要】
【発明が解決しようとする課題】
【０００５】
しかしながら、このような従来の装身具用止め金具および装身具は、装身具を衣服等の被着体に取り付けるために、ピンを被着体に刺し通し、そのピンを止め金具に挿入して抜け止め保持させた状態で、被着体を挟む装身具本体と止め金具とが対向する部分の間隔が、被着体の厚さに関わらず一定である。
そのため、厚い被着体にも装着できるように、その間隔を厚い被着体に合わせて設計すると、比較的薄い被着体に装着する場合には、被着体の厚さに比べて上記間隔が大き過ぎ、装着した装身具が自重によって傾いて美観を損ねたり、使用者の動きに伴って搖動して安定した使用感が得られなくなるという問題があった。
【０００６】
この発明は、このような問題を解決するためになされたものであり、装身具を装着する被着体の厚さに応じて、被着体を挟む装身具本体と止め金具とが対向する部分の間隔が適切な大きさになるように調整できるようにし、装身具本体が常に被着体に密着して装着され、傾いて美観を損ねることなく、安定した使用感も得られるようにすることを目的とする。
【課題を解決するための手段】
【０００７】
この発明による装身具用止め金具は、装身具本体の裏面に突設されたピンを、被着体を通過した裏側で挿入させて抜け止め保持する装身具用止め金具であって、上記の目的を達成するため、上記ピンを挿入可能で、挿入されたピンの先端部を外部に突出させずに収納する金具筐体と、上記挿入されたピンを挟持及び解放する機構とを備え、上記金具筐体に、上記ピンの挿入量を調整する挿入量調整機構を設けたことを特徴とする。
【０００８】
上記挿入量調整機構を、上記金具筐体の上記ピンの先端と対向する背面部材を円筒状ネジ部材に固着し、その円筒状ネジ部材を上記金具筐体の螺合部に螺合させ、上記背面部材を螺合方向に回転させることにより、該背面部材の上記ピンの挿入方向の位置を調整可能に構成するとよい。
【０００９】
上記挿入量調整機構を、上記金具筐体の上記装身具本体の裏面と対向する側の面の少なくとも中央部を所定の間隔を置いて覆い、上記ピンを挿通させる孔を有するスペーサを、上記ピンを挿通させる使用位置と該使用位置から退避した退避位置とに移動可能に設けた構成にしてもよい。
【００１０】
上記挿入されたピンを挟持及び解放する機構は、上記ピンが挿通可能で、そのピンの挿通方向と直交する径方向に延びる可動部材と、その可動部材の径方向の両端に固設され、上記金具筐体から突出する一対のつまみ部と、上記可動部材の中央部に固設され、上記ピンが挿通される中心孔を有し、その中心孔の周囲に上記ピンを挟持する複数のボールを上記径方向に移動可能に保持する円筒部材と、を備え、
上記可動部材及び上記複数のボールを保持する円筒部材が、上記金具筐体内に上記ピンの挿入方向に沿って相対移動可能に収納され、上記金具筐体のピン挿入口の内側に、該ピン挿入口の中心線を軸線として上記ピンの挿入方向に沿って内径が次第に大きくなる円錐状の内壁面を、上記複数のボールと接触するように形成しており、上記金具筐体と上記可動部材との間に、上記複数のボールを上記円錐状の内壁面の内径が小さい部分に接触させる方向に付勢するスプリングを介装した構成にするとよい。
【００１１】
この発明による装身具は、上記装身具本体及びその裏面に突設されたピンと、上記いずれかの装身具用止め金具とからなることを特徴とする。
【発明の効果】
【００１２】
この発明によれば、装身具を装着する被着体の厚さに応じて、被着体を挟む装身具本体と止め金具とが対向する部分の間隔が適切な大きさになるようにピンの挿入量を調整することができ、それによって装身具本体が常に被着体に密着して装着され、傾いて美観を損ねることがなく、安定した使用感を得ることもできる。
【図面の簡単な説明】
【００１３】
【図１】この発明による装身具用止め金具の一実施形態を示す分解斜視図である。
【図２】同じくその装身具用止め金具を背面側から見た斜視図である。
【図３】同じくその装身具用止め金具の平面図（ａ）と正面図（ｂ）及び側面図（ｃ）である。
【図４】図１〜図３に示した装身具用止め金具を備えた装身具を被着体に装着した状態を示す断面図であり、（ａ）は厚い被着体に装着した状態を、（ｂ）は薄い被着体に装着した状態をそれぞれ示す。
【図５】同じくその装身具用止め金具からピンを引き抜く際の状態を示す断面図である。
【図６】この発明による装身具用止め金具の他の実施形態を背面側から見た斜視図である。
【図７】同じくその装身具用止め金具の平面図（ａ）と正面図（ｂ）及び側面図（ｃ）である。
【図８】図６及び図７に示した装身具用止め金具を備えた装身具を被着体に装着した状態を示す断面図であり、（ａ）は厚い被着体に装着した状態を、（ｂ）は薄い被着体に装着した状態をそれぞれ示す。
【発明を実施するための形態】
【００１４】
以下、この発明を実施するための形態を図面を参照して具体的に説明する。
この発明による装身具用止め金具（以下、単に「止め金具」と称す）及び装身具の一実施形態を図１〜図５によって説明する。
図１はその止め金具の分解斜視図、図２は止め金具を背面側から見た図である。図３の（ａ）はその止め金具の平面図、（ｂ）は正面図、（ｃ）は側面図である。図４の（ａ）（ｂ）は、その止め金具を備えた装身具を厚い被着体と薄い被着体にそれぞれに装着した状態を示す断面図である。図５はその止め金具からピンを引き抜く際の状態を示す断面図である。
【００１５】
この止め金具３は、図４に示す装身具本体１の裏面に突設されたピン２を挿入させて抜け止め保持するものである。そして、ピン２を挿入可能で、挿入されたピン２の先端部を外部に突出させずに収納する金具筐体３０と、挿入されたピン２を挟持及び解放する機構とを備えており、その金具筐体３０には、ピン２の挿入量を調整する挿入量調整機構を設けている。
【００１６】
装身具本体１は、用途に応じて装飾を施した貴金属で形成されたり、真珠や珊瑚あるいは宝石などの宝玉等で装飾されたりしているが、図４では簡略化して円盤状に示している。この実施形態の装身具は、図４に示した装身具本体１とその裏面に突設されたピン２と、そのピン２を挿入させて抜け止め保持する止め金具３とからなる。具体的には、例えばピンブローチやタイタックなどである。
金具筐体３０は、図１に明示するように、対称的な半筐体である前半部３０Ａと後半部３０Ｂとに分割して形成されているが、組み立て後は図２等に示すように接続され、前半部３０Ａと後半部３０Ｂとが溶接によって一体に固着される。
【００１７】
そして、この実施形態では、ピンの挿入量を調整する挿入量調整機構を次のように構成している。金具筐体３０のピンの先端と対向する背面部材３１を外周に雄ネジを形成した円筒状ネジ部材３２に固着し、その円筒状ネジ部材３２を、金具筐体の後半部３０Ｂの雌ネジが形成された螺合部３３に螺合させる。そして、背面部材３１を図１に矢示Ｒで示す螺合方向に回転させることによりそのねじ込み量を調整し、背面部材３１のピン挿入方向（図１で上下方向）の位置、即ちピンの挿入量を調整可能である。
背面部材３１の回転操作性を向上させるため、背面部材３１の外周面に滑り止め用の粗面や凹凸などを形成してもよい。
【００１８】
また、この止め金具３において、挿入されたピンを挟持及び解放する機構は次のように構成されている。
この止め金具３内には図１に明示するように、ピンが挿通可能な透孔４１ａを形成し、ピンの挿通方向と直交する径方向に延びる板状の可動部材４１を備え、その可動部材４１の径方向の両端に、金具筐体３０から突出する一対のつまみ部４２を固設している。各つまみ部４２は、その厚さ方向に貫通孔４２ａを形成して質量を低減している。
可動部材４１の透孔４１ａを形成した中央部には、ピンが挿通される中心孔を有し、その中心孔の周囲にピンを挟持する複数のボール４３を上記径方向に移動可能に保持する円筒部材４４を固設している。
【００１９】
そして、上記可動部材４１及び複数のボール４３を保持する円筒部材４４が、前半部３０Ａと後半部３０Ｂとからなる金具筐体３０内に、ピンの挿入方向に沿って相対移動可能に収納される。
図４に示すように、その金具筐体３０の前半部３０Ａのピン挿入口３４の内側に、ピン挿入口３４の中心線を軸線としてピン２の挿入方向に沿って内径が次第に大きくなる円錐状の内壁面３５を、複数のボール４３と接触するように形成している。
【００２０】
さらに、金具筐体３０の後半部３０Ｂと可動部材４１との間に、複数のボール４３を円錐状の内壁面３５の内径が小さい部分に接触させる方向に付勢する一対のスプリング４５を介装している。
なお、この実施形態では、円筒部材４４がその円周方向に１２０度間隔で３個のボールを保持しているので、一平面による断面では、図４及び図５に示すように２個のボール４３がいずれも円形に現れることはないが、図示の便宜上いずれも円形に示している。
【００２１】
この装身具を保管するときには、ピン２を止め金具３に挿入して装身具本体１と止め金具３とを一体化しておく。図４に示すピン２を、ピン挿入口３４から止め金具３に挿入すると、その先端部がボール４３に当るが、テーパ面でそれを押し下げて隙間を拡げながら通過することができ、ピン２の先端が背面部材３１に突き当たるまで押し込むことができる。
その状態で、スプリング４５の弾発力によって、円筒部材４４を一体とする可動部材４１が図４で下方に押し下げられ、複数のボール４３を円錐状の内壁面３５の内径が小さい部分に接触させる方向に付勢する。そのため、複数のボール４３が互いに接近するように押圧され、ピン２を強く挟持して抜け止めする。
【００２２】
この保管状態から装身具を被着体に装着する際には、背面部材３１に親指を当て、一対のつまみ部４２に人差し指と中指を掛けて、注射器を操作するように親指で背面部材３１を押す。それによって、図５に示すように、可動部材４１がスプリング４５を圧縮して金具筺体の前半部３０Ａから離れる方向に移動し、それに伴って複数のボール４３が円錐状の内壁面３５の内径が大きい部分に接触するように移動し、ピン２の挟持力を緩めて解放する。
その状態では、他方の手の指で装身具本体１を摘まんで、ピン２を止め金具３から容易に引抜くことができる。
【００２３】
その後、装身具本体１を摘まんだまま、図４に示すようにピン２を衣服等の被着体４に刺し通して、被着体４を通過した裏側でそのピンを止め金具３に挿入して抜け止め保持させればよい。そのピン挿入時の動作は、上述した保管のためにピン２を止め金具３に挿入する場合と同様である。そして、ピン２をその先端が背面部材３１に突き当たるまで挿入した状態で抜け止めされ、被着体４に装身具が装着される。
【００２４】
この実施形態の止め金具３は、金具筐体３０の背面部材３１を回転させて、後半部３０Ｂの螺合部３３にねじ込んだり戻したりすることによって、背面部材３１のピン挿入方向の位置、即ちピンの挿入量を無段階に調整することが可能である。
そこで、被着体４の厚さが厚い場合は、図４の（ａ）に示すように、予め背面部材３１を正回転させて深くねじ込んで、ピンの挿入量が少なくなるように調整しておく。
それによって、被着体４を挟む装身具本体１と止め金具３とが対向する部分の間隔を、厚い被着体４に対応する適切な大きさにすることができる。
【００２５】
被着体４の厚さが薄い場合は、図４の（ｂ）に示すように、予め背面部材３１を逆回転させてねじ込みを浅くし、ピンの挿入量が多くなくなるように調整しておく。
それによって、被着体４を挟む装身具本体１と止め金具３とが対向する部分の間隔を、薄い被着体４に対応する適切な大きさにすることができる。
このようにして、被着体４の厚さに関わらず、装身具本体１と止め金具３とによって、被着体４を隙間なく挟持して装着することができ、装身具本体１が傾いて美観を損ねる恐れがなく、安定した使用感を得ることもできる。
【００２６】
ピン２の挿入量は、図４の（ａ）に示す最少の状態から、（ｂ）に示す最多の状態の間で、被着体４の厚さに応じて任意に調整することができる。
装身具を被着体４から外す際には、図５によって前述したようにして複数のボール４３によるピン２の挟持を解放させ、止め金具３からピン２を引き抜けばよい。
また、この実施形態によれば、止め金具３のピン挿入方向の寸法を従来のものよりも小さくすることができ、金具筐体３０が扁平な形状で、体に接触する部分である背面部材３１が円盤状である。その点でも、衣服等の被着体４に装着した場合に傾き難い形状であり、装着時の安定性を高めることができる。
【００２７】
次に、この発明による装身具用止め金具（以下、単に「止め金具」と称す）及び装身具の他の実施形態を、図６〜図８によって説明する。
図６はその止め金具の背面側から見た斜視図である。図７の（ａ）はその止め金具の平面図、（ｂ）は正面図、（ｃ）は側面図である。図８は、その止め金具を備えた装身具を被着体に装着した状態を示す断面図であり、（ａ）は厚い被着体に装着した状態を、（ｂ）は薄い被着体に装着した状態をそれぞれ示す。
【００２８】
この実施形態の止め金具３Ｃと前述した実施形態の止め金具３とは、ピンの挿入量を調整する挿入量調整機構が異なる以外は略共通しているため、図６〜図８において、図１〜図７と対応する部分には便宜上同一の符号を付しており、それらの説明は省略する。
なお、この止め金具３Ｃの金具筐体３０の後半部３０Ｂは、挿入量調整機構を設けていないので、背面部材が一体の同一面に形成され、螺合部３３は設けられていない。
この止め金具３Ｃにおいても、挿入されたピンを挟持及び解放する機構は、前述した実施形態と同じである。
【００２９】
この実施形態の止め金具３Ｃは図６〜図８に示すように、ピン２の挿入量を調整する挿入量調整機構として、金具筐体３０の装身具本体１の裏面と対向する側の面の少なくとも中央部を所定の間隔を置いて覆い、ピン２を挿通させる孔５０ａを有するスペーサ５０を、ピン２を挿通させる使用位置と、その使用位置から退避した退避位置とに移動可能に設けている。
【００３０】
図示のスペーサ５０は、金具筐体３０の前半部３０Ａの正面の幅よりも狭い所定幅の金属板を折り曲げて形成している。そのスペーサ５０の一端部を金具筐体３０の前半部３０Ａにヒンジ部５１によって回動可能に取り付け、他端部を前半部３０Ａに設けた係止片５４に係合させて、図７の（ｃ）に示すように止められるようになっている。そのとき、スペーサ５０の孔５０ａと金具筐体３０のピン挿入口３４（図４参照）とが正対する。スペーサ５０には、回動させる際に摘まむ突起部５２を設けている。
【００３１】
この実施形態の装身具は、上述した止め金具３Ｃと、図８に示す装身具本体１及びその裏面に突設されたピン２とからなる。
その装身具を衣服等の被着体４に装着する際には、被着体４の厚さが厚い場合は、止め金具３Ｃのスペーサ５０を、突起部５２を摘まんで図８の（ａ）に示す退避位置に回動させる。その状態で、装身具本体１を摘まんでピン２を被着体４に刺し通し、その裏側で止め金具３Ｃの金具筐体３０にその先端が後半部３０Ｂの背面に突き当たるまで挿入する。
この場合のピンの挿入量は、ピン２が金具筐体３０内に挿入された量だけであり、装身具本体１と止め金具３Ｃとの間隔が、厚い被着体４に対応する適切な間隔になる。
【００３２】
被着体４の厚さが薄い場合は、予め止め金具３Ｃのスペーサ５０を図８の（ｂ）に示すように、ピン２を挿通させる使用位置に回動して係止しておく。そして、装身具本体１に突設したピン２を被着体４に刺し通し、その裏側で止め金具３Ｃのスペーサ５０の孔５０ａを通して金具筐体３０にその先端が背面に突き当たるまで挿入する。
この場合のピンの挿入量は、ピン２がスペーサ５０を通過してから金具筐体３０に達するまでの量と金具筐体３０内に挿入された量との和になり、装身具本体１と止め金具３Ｃ（この場合スペーサ５０）との間隔が、薄い被着体４に対応する適切な間隔になる。
【００３３】
このようにして、被着体４の厚さに関わらず、装身具本体１と止め金具３とによって、被着体４を隙間なく挟持して装着することができ、装身具本体１が傾いて美観を損ねる恐れがなく、安定した使用感も得ることができる。
但し、この実施形態では、止め金具３Ｃにおけるピンの挿入量の調整は２段階になる。
スペーサの構成は図示の例に限らず、中央で２分割して両側に対称的に回動して退避位置になるように構成してもよい。また、やかんの取っ手のように両端を軸止めして、側方に倒すように回動させて退避位置にするように構成してもよい。
【００３４】
上述したいずれの実施形態においても、止め金具に挿入されたピンを挟持及び解放する機構は、前述した機構に限るものではない。しかし、前述した実施形態のように構成すれば、操作性がよく、止め金具が扁平な形状になるため、より安定した使用感が得られる。
止め金具の少なくとも外部から見える部分は、ホワイトゴールド、イエローゴールド、ピンクゴールドなどの金合金、あるいはプラチナ合金、銀合金などの貴金属合金で作製するのが望ましい。複数のボール４３はステンレス鋼で形成するとよい。
【００３５】
以上、この発明の実施形態について説明してきたが、その実施形態の各部の具体的な構成は、そこに記載したものに限るものではない。
また、この発明は上述した実施形態に限定されるものではなく、特許請求の範囲の各請求項に記載された技術的特徴を有する以外は、何ら限定されないことは言うまでもない。
さらに、以上説明してきた実施形態の構成例、動作例及び変形例等は、適宜変更又は追加したり一部を削除してもよい。
【産業上の利用可能性】
【００３６】
この発明は、ピンブローチ、タイタック、ピンバッジ、ピアスなど、スティックピンを備えた各種の装身具に利用可能である。
【符号の説明】
【００３７】
１：装身具本体    ２：ピン    ３，３Ｃ：止め金具（装身具用止め金具）    
４：被着体    ３０：金具筐体      ３０Ａ：前半部    ３０Ｂ：後半部    
３１：背面部材    ３２：円筒状ネジ部材    ３３：螺合部    ３４：ピン挿入口    
３５：円錐状の内壁面    ４１：可動部材    ４１ａ：透孔    ４２：つまみ部    
４２ａ：貫通孔    ４３：ボール    ４４：円筒部材    ４５：スプリング
５０：スペーサ    ５０ａ：孔    ５１：ヒンジ部    ５２：突起部    ５４：係止片  
【図１】
2020025762.tif 000003
【図２】
2020025762.tif 000004
【図３】
2020025762.tif 000005
【図４】
2020025762.tif 000006
【図５】
2020025762.tif 000007
【図６】
2020025762.tif 000008
【図７】
2020025762.tif 000009
【図８】
2020025762.tif 000010